(57)【要約】      （修正有）【課題】視認性を向上した表示部を有する炊飯器を提供する。【解決手段】本体と、本体の上方に開閉可能に配置された外蓋と、本体もしくは外蓋に設けられた凸曲面の外面カバー４２と、外面カバー４２の操作部４２ｂと、操作部４２ｂの設定内容を表示する表示部４２ａと、を備え、表示部４２ａの後方に長方形の表示部Ｅを収容する凹形状の設置部を備え、設置部に表示器Ｅの長辺が上下もしくは前後方向に配置されており、表示器Ｅの短辺が外面カバー４２近傍に配置されており、表示器Ｅが設置部に配置された状態で、表示器Ｅの上下に位置する外面カバー４２と本体もしくは外蓋の外面が一致するように構成されている。【選択図】図７
2017042372.tif 000002
【特許請求の範囲】
【請求項１】
本体と、
該本体の上方に開閉可能に配置された外蓋と、
前記本体もしくは前記外蓋に設けられた凸曲面の外面カバーと、
該外面カバーは、操作部と、該操作部の設定内容を表示する表示部と、を備え、
前記表示部の後方に長方形の表示器を収容する凹形状の設置部を備え、
前記設置部に前記表示器の長辺が上下もしくは前後方向に配置されており、前記表示器の短辺が前記外面カバー近傍に配置されており、前記表示器が前記設置部に配置された状態で、前記表示器の上下に位置する前記外面カバーと前記本体もしくは前記外蓋の外面が一致するように構成されていることを特徴とする炊飯器。
【発明の詳細な説明】
【技術分野】
【０００１】
本発明は、炊飯器に関するものである。
【背景技術】
【０００２】
従来、炊飯器の設定や状態を表示する表示部に液晶を備えた炊飯器として、例えば、特許文献１に開示されたものが知られている。
【０００３】
特許文献１には、炊飯器本体前面部には、操作基板の上にＬＣＤホルダーで横長形状のＬＣＤを設置する操作パネルを設け、操作パネルは前後・左右方向に曲面を成す構成が記載されている。
【先行技術文献】
【特許文献】
【０００４】
【特許文献１】特許５６３７２４７号公報
【発明の概要】
【発明が解決しようとする課題】
【０００５】
特許文献１に示すように、曲面からなる操作パネルに平らなＬＣＤ表示部を設ける場合、ＬＣＤ表示部の長手方向の端辺である対向する二つの短辺側を操作パネルの内面側に近づけた位置でＬＣＤ表示部全体が収まるように操作パネルにＬＣＤ表示部を設けるものである。そうした場合、ＬＣＤ表示部の中央部がパネル表面から一番奥まった位置となり、そのため、ＬＣＤ表示部の長辺側の端部と操作パネルとの間にＬＣＤホルダーの壁（特許文献１の図１参照）が見えて、意匠性が低下する。そのため、操作者からみて表示部の手前側は、壁で陰になり見難く、奥側は壁により意匠性が低下し、また文字が奥まり見難いおそれがある。
【０００６】
本発明は、前記した従来の問題を解決するものであり、視認性を向上した表示部を有する炊飯器を提供することを目的とする。
【課題を解決するための手段】
【０００７】
本発明は、前記した従来の問題を解決するものであり、本体と、該本体の上方に開閉可能に配置された外蓋と、記本体もしくは前記外蓋に設けられた凸曲面の外面カバーと、該外面カバーは、操作部と、該操作部の設定内容を表示する表示部と、を備え、前記表示部の後方に長方形の表示器を収容する凹形状の設置部を備え、前記設置部に前記表示器の長辺が上下もしくは前後方向に配置されており、前記表示器の短辺が前記外面カバー近傍に配置されており、前記表示器が前記設置部に配置された状態で、前記表示器の上下に位置する前記外面カバーと前記本体もしくは前記外蓋の外面が一致するように構成されている。
【発明の効果】
【０００８】
本発明によれば、視認性を向上した表示部を有する炊飯器を提供することができる。
【図面の簡単な説明】
【０００９】
【図１】本発明の実施形態に係る炊飯器を示す外観斜視図である。
【図２】図１のＩ−Ｉ断面図である。
【図３】図１のＩＩ−ＩＩ断面図である。
【図４】炊飯器の蓋体の内面全体を示す正面図である。
【図５】図４のＩＩＩ−ＩＩＩ断面図である。
【図６】内蓋及び結露受皿を取り外した状態の外蓋を示す正面図である。
【図７】操作部と表示部の上面図である。
【図８】外蓋の外蓋外面カバーを外した斜視図である。
【図９】外蓋の表示部を説明する側面断面図である。
【図１０】外蓋の表示部を説明する正面断面図である。
【発明を実施するための形態】
【００１０】
次に、本発明の実施形態に係る炊飯器について、適宜図面を参照しながら詳細に説明する。なお、本実施形態では、内釜を加熱する加熱手段として電磁誘導式の電気炊飯器を例に挙げて説明するが、電気ヒータや、ガスバーナなどの別の加熱手段を適用することもできる。また、便宜上、図１に示す炊飯器１の状態において、操作ノブ１３が配置される方向を「前」、電源コード１２が配置される方向を「後」、外蓋４が配置される鉛直上方側を「上」、本体２が配置される鉛直下方側を「下」、幅方向を「左」、「右」として説明する。
【００１１】
図１に示すように、炊飯器１は、主に米を炊いて飯にするための調理器具である。炊飯器１の外観は、内釜３（図２参照）が収納される本体２と、開口した本体２の上部を開閉する蓋体１０と、本体２に軸支されたハンドル１１と、本体２の後部に配置された電源コード１２と、を主に備えて構成されている。
【００１２】
前記炊飯器１は、縦断面視して、図２に示すように、内釜３と、内釜３を挿脱自在に収納する本体２と、本体２の上方に、外蓋回動軸４４を支点として開閉可能に配置された外蓋４と、外蓋４に着脱自在に装着された内蓋５と、内釜３内から外部に排出される蒸気を規制する蒸気回収ユニット６と、内蓋５の下側に配置され結露受皿７と、を主に備えている。
【００１３】
本体２は、内釜３を着脱可能に収容する内釜収容部２ａを有する有底円筒状の部材である。本体２の外側には、蓋体１０と本体２とのロック及びロック解除を行う操作ノブ１３と、ハンドル１１及び電源コード１２と、が設けられている（図１参照）。本体２の内部には、上面が開口した保護枠２１と、断熱材２２（図３参照）と、制御部（図示省略）等が設けられている。
【００１４】
図１に示すように、ハンドル１１は、その両端部が本体２の左右側面側に回動自在に支持されており、前向きから後向きまでの範囲で回動するように構成されている。
【００１５】
電源コード１２は、本体２から引き出し、巻き戻し自在に設けられている。
【００１６】
操作ノブ１３は、後記するロック部材４７（図５参照）の本体２との係止を解除するものである。
【００１７】
図２に示すように、保護枠２１は、有底円筒状の内釜収容部２ａを形成する耐熱樹脂製の容器等から成る。保護枠２１の底部には、鍋底温度センサ２３、加熱手段２４等が配置されている。
【００１８】
断熱材２２は、真空断熱材で構成され、内釜収容部２ａの周囲全体を囲むように構成されている。
【００１９】
図２及び図３に示すように、内釜３は、上部開口３ａの全周に内釜フランジ部３ｂを有する有底筒状の部材である。内釜３は、上端部が本体２から着脱操作がし易いように外向きに略水平な内釜フランジ部３ｂが折曲されて、本体２の開口縁部上に載置されている。内釜３は、例えば、厚さが２．５ｍｍ程度のアルミニウム合金等の金属で形成されて、表面全体がフッ素等によってコーティングされている。そして、加熱手段２４に誘導加熱を使用する時は、少なくとも前述した内釜３の底面外側に、誘導加熱によって発熱する磁性金属を設けるものである。
【００２０】
前記蓋体１０は、内釜３の上部開口３ａ、及び本体開口２ｂを開閉する部材である。図４及び図５に示すように、蓋体１０は、上面部に配置された外蓋４と、外蓋４の下側に配置された内蓋５と、外蓋４と内蓋５との間に介在された蒸気回収ユニット６と、内蓋５の下側に配置された結露受皿７と、が着脱可能に一体に組み付けられている。蓋体１０全体は、本体２の後端部に配置された外蓋回動軸４４を支点として回動可能に配置されている。
【００２１】
外蓋４は、蓋体１０の上部外側を形成している樹脂製の部材である。外蓋４は、外面側に配置された外蓋外面部材４１と、外蓋外面部材４１のパネル設置凹部４１ａ（設置部）に装着された外面カバー４２と、内面側を形成する外蓋内面部材４３と、後端部に配置された外蓋回動軸４４と、斜め前端部に配置されたフックレバー４５と、フックレバー４５を付勢するフックレバー付勢部材４６（図３参照）と、前端部に配置されたロック部材４７と、外蓋内面部材４３の下面に設けられた蓋ヒータ４８と、を備えている。
【００２２】
図５に示すように、外蓋外面部材４１は、蓋体１０の外側外周部を形成する部材である。外蓋外面部材４１には、外側上面中央部に形成されたパネル設置凹部４１ａと、後端部寄りの上部に形成された排出筒部挿設部４１ｂと、が形成されている。
【００２３】
パネル設置凹部４１ａは、外蓋外面部材４１の上面に、外面カバー４２を面一に収容する窪みである。
【００２４】
排出筒部挿設部４１ｂは、上ケース６２から上方に向けて突出形成された排出筒状部６２ｊが遊挿される開口部である。
【００２５】
外面カバー４２は、液晶表示装置及びスイッチ類が設けられた部材であり、平面視して略枠状の外蓋外面部材４１内に装着されている。外面カバー４２は、運転状態等を表示する表示部４２ａと、各種設定を行うスイッチ類を有する操作パネルから成る操作部４２ｂと、後記する蒸気回収ユニット６の排出筒状部６２ｊが挿設される排出口設置孔４２ｃと、を有している（図１参照）。
【００２６】
表示部４２ａは、液晶表示装置を含み、外蓋４の上面の前寄り中央部に配置されている（図１参照）。なお、液晶表示装置は、タッチパネル等の公知の表示・操作装置であってもよい。
【００２７】
操作部４２ｂは、表示部４２ａの左右に複数配置されたタッチ式スイッチから成る（図１参照）。なお、これに限らず静電容量スイッチやタッチパネル等、公知の入力手段であってもよい。
【００２８】
図７は、外郭となる外蓋４の上面に設けた外面カバー４２の操作部４２ｂと表示部４２ａの上面図である。表示部４２ａには表示器となる液晶Ｅ（表示器）を備え、液晶Ｅは左右よりも前後に長い縦長形状で、数字表示部Ｅ１など複数の表示内容を表示するものである。
【００２９】
液晶Ｅの右側には、手前側から順に、炊飯のスタートを指示する炊飯再加熱キー４２ｃ、予約炊飯をセットする予約キー４２ｄ、時間設定をする時キー４２ｅ、分キー４２ｆ、スチーム保温の選択をするスチーム保温キー４２ｇを有する操作部４２ｂを備える。
【００３０】
液晶Ｅの左側には、手前側から順に、動作の停止を指示する切とりけしキー４２ｈ、少量で炊飯するときに選択する少量（１合／２合）キー４２ｋと、メニュー選択のメニューキー４２ｍ、お米の種類を選択するお米キー４２ｎを有する操作部４２ｂを備える。
【００３１】
図８では、外蓋４の外面カバー４２を外した状態で、操作部４２ｂ、表示部４２ａを示す。
【００３２】
外蓋外面部材４１前寄りに位置してパネル設置凹部４１ａを設ける。パネル設置凹部４１ａの中に基板４１ｃと基板４１ｃに設ける表示部４２ａである液晶Ｅと、外面カバー４２の操作部４２ｂから基板４１ｃに設けるスイッチ（不図示）に操作を伝達する伝達部４２ｗを備える。
【００３３】
次に、外蓋外面カバーと液晶との奥行関係について説明する。
まず、図９の側面断面図を用いて表示部の構造について説明する。
図９に示す表示部４２ａの液晶Ｅの向きは、液晶Ｅの長手方向を示す断面図であり、表示部４２ａの奥部Ｆから前部Ｇまでの外面カバー４２の表面の円弧Ｒ１はＲ６００ｍｍとなっている。
【００３４】
曲面を持つ外面カバー４２に長方形の液晶Ｅを取り付ける場合、液晶Ｅの長手方向の端辺である対向する二つの短辺側が外面カバー４２内に収まることで概ね表示器の位置が決定される。そして外面カバー４２に対して液晶Ｅを一番手前に配置する場合、前述した液晶Ｅの長手方向の端辺である対向する二つの短辺側を外面カバー４２に近接させることで、外面カバー４２と液晶Ｅとの奥行は、液晶Ｅの長手方向の端辺となる奥部Ｆの奥行Ｅ４と前側Ｇの奥行Ｅ３は略ゼロで最小となり、液晶Ｅの中央部の奥行Ｅ５が最大となる。
【００３５】
次に、図１０の正面断面図を用いて表示部の構造について説明する。
図１０に示す表示部４２ａの液晶Ｅの向きは液晶Ｅの短手方向を示す断面図であり、表示部４２ａの左部Ｈから右部Ｊまで外面カバー４２の表面の円弧Ｒ２はＲ８００ｍｍとなっている。
【００３６】
この図１０は前述した奥行Ｅ５近傍の正面断面図であり、外面カバー４２と液晶Ｅとの奥行は、左右ともに奥行Ｅ５と略同じ奥行が発生する。
【００３７】
以上説明したように本実施例では、長方形の液晶Ｅを外面カバー４２の前後方向に縦長方向に配置したものである。
こうすることで、外面カバー４２と液晶Ｅの奥行は、液晶Ｅの前部と奥部で略ゼロとなり、液晶Ｅの前部に表示する文字が陰に隠れる事はなく、奥部側の液晶Ｅも外面カバー４２近傍に位置するので大変見やすいものである。
【００３８】
図５に示すように、排出口設置孔４２ｃは、排出筒部挿設部４１ｂが内嵌される貫通孔である。外蓋内面部材４３は、内蓋５及び蒸気回収ユニット６に対向配置される部材である。外蓋内面部材４３は、内蓋５等が収納された内蓋収納凹部４３ａと、内蓋収納凹部４３ａの前側（一端部側）の内壁４３ｂに形成された係止爪４３ｃと、内蓋収納凹部４３ａの後側（他端部側）の内壁４３ｂに形成された係止突起４３ｄと、フックレバー４５（図４参照）が軸支されたフックレバー設置部４３ｅ（図４参照）と、後記する内蓋付け忘れ防止機構４０（図３、図４参照）と、圧力調整部８と、を有している。
【００３９】
図５に示すように、内蓋収納凹部４３ａは、内蓋５、蒸気回収ユニット６、結露受皿７、蓋ヒータ４８等が収容された窪みであり、外蓋内面部材４３の下面に形成されている。
【００４０】
内壁４３ｂは、内蓋収納凹部４３ａ内に収容された内蓋５及び蒸気回収ユニット６の外周部に対して、隙間を介して対向するように配置されている。内壁４３ｂは、下面視して内蓋５の外周部に形成されている（図４参照）。
【００４１】
係止爪４３ｃは、内蓋収納凹部４３ａ内に配置された内蓋５を保持するための部位である。係止爪４３ｃは、内蓋５の後端部側の係止部５２ａを係止突起４３ｄに係止させて、内蓋５の前端部を内蓋収納凹部４３ａ内に押し込むと、内蓋５の前端部に回動可能に配置された内蓋係止レバー５３の爪部５３ａが引っ掛かるように形成されている。
【００４２】
図４に示すように、前記係止突起４３ｄは、内蓋収納凹部４３ａ内に装着した内蓋５の後端部を支持する部位である。係止突起４３ｄは、開放した蓋体１０の外蓋内面部材４３に内蓋５を取り付ける際に、後端部側の内壁４３ｂに内蓋５の後端部を載置したときに、内蓋５が内壁４３ｂから落下するのを抑制する機能を備えている。係止突起４３ｄは、蓋体１０を開放した際に水平になる後端部の内壁４３ｂに形成された左右一対の突起から成る。
【００４３】
フックレバー設置部４３ｅは、フックレバー４５と、フックレバー４５を内蓋収納凹部４３ａ内側に押し戻すためのフックレバー付勢部材４６（図３参照）と、を外蓋４に配置するための部位である。フックレバー設置部４３ｅは、内蓋収納凹部４３ａの前側斜め左側の内壁４３ｂに形成されている。
【００４４】
図２に示すように、外蓋回動軸４４は、外蓋４の後端部に設けられて、蓋体１０全体の回動軸を形成している。
【００４５】
図３に示すように、内蓋付け忘れ防止機構４０は、内蓋５を外蓋４（外蓋内面部材４３）に付け忘れたときに、蓋体１０で内釜３の上部開口３ａを閉塞できないようにして、内蓋５を蓋体１０に付け忘れるのを防止する装置である。内蓋付け忘れ防止機構４０は、突起５２ｂ（図４参照）を有する内蓋５（図４参照）と、内蓋５を外蓋４に取り付けたときに突起５２ｂが当接して回動するフックレバー４５と、フックレバー４５を突起５２ｂに当接する側方向（矢印ｂ方向）に付勢するフックレバー付勢部材４６と、外蓋４に内蓋５が取り付けてないときに、フックレバー４５に当接する内釜３と、を備えて構成されている。
【００４６】
図４に示すように、フックレバー４５は、内蓋５を外蓋内面部材４３の内蓋収納凹部４３ａに着脱すると、突起５２ｂによる押圧と、フックレバー付勢部材４６（図３参照）による付勢力とで、フックレバー軸部（不図示）を中心として外方向及び内方向（矢印ａ，ｂ方向）に回動して内蓋収納凹部４３ａ内の出没する回動部材である（図６参照）。前記したように、図３に示すフックレバー４５は、内蓋５を内蓋収納凹部４３ａに装着しないで蓋体１０を閉塞した場合に、フックレバー４５が内釜３の内釜フランジ部３ｂ（開口縁）に当接して、ロック部材４７（図５参照）が本体２と係止不能となり、内釜３を閉塞できないように構成されている。
【００４７】
図４に示すように、フックレバー４５は、内蓋５を外蓋内面部材４３の内蓋収納凹部４３ａに装着した際に、突起５２ｂに押圧されてフックレバー軸部（不図示）を中心として外方向（矢印ａ方向）に回動して、内蓋収納凹部４３ａ内からフックレバー設置部４３ｅ内に入り込む。図２に示すように、内蓋５を内蓋収納凹部４３ａに装着した状態で蓋体１０を閉塞した場合に、フックレバー４５（図３参照）は、蓋体１０で内釜３を閉塞しても、内釜フランジ部３ｂに当接せず、ロック部材４７（図５参照）が本体２と係止状態となって、内釜３を閉塞するように構成されている。  
内釜当接部４５ｆは、内蓋５が外蓋４に取り付けてない場合に、蓋体１０を閉めた際に、内釜フランジ部３ｂに当接する部位である（図３参照）。内釜当接部４５ｆは、突起当接部４５ｅに対して、隣接した位置から更に下方向に大きく突出して形成された側面視して三角形状の舌片から成る。
【００４８】
ロック部材４７（図５参照）は、図２に示すように、蓋体１０で内釜３を閉塞した際に、本体２の前端部に配置された係止部（不図示）に係合してロックする部材である。図４に示すように、ロック部材４７は、外蓋４の前側中央部に配置された内蓋係止レバー５３の左右に配置された一対の部材から成る。なお、ロック部材４７は、公知の方法によって構成することができる。
【００４９】
図５に示すように、蓋ヒータ４８は、外蓋内面部材４３と内蓋５との空間等に貯留した結露を加熱して蒸気にするための加熱部材である。蓋ヒータ４８は、外蓋内面部材４３の下面に取り付けられている。蓋ヒータ４８は、例えば、ニッケルクロム線の抵抗体をシリコーンゴムの絶縁体で覆ったヒータ線を平面状に貼り付けて構成されている。
【００５０】
内蓋５は、蓋体１０を閉じたときに、内釜３の上部開口３ａを覆う部材である（図２参照）。内蓋５は、内蓋５の中央部に配置された内蓋本体５１と、内蓋本体５１の外周部に固定された内蓋枠５２と、内蓋枠５２の前端部に設けられた内蓋係止レバー５３及び係止レバー付勢部材５４と、外周縁部の全体に亘って設けられたシールパッキン５５と、結露受皿７を支持する受皿支持部材５７，５８と、内蓋本体５１の下面に取り付けられた結露受皿７と、内蓋本体５１の上面中央部に取り付けられた調圧弁６３と、内蓋本体５１の上面に調圧弁６３を覆うようにして取り付けられた蒸気回収ユニット６の下ケース６１と、を備えている。
【００５１】
次に、添付図面を参照しながら本発明の実施形態に係る炊飯器１の作用を説明する。
【００５２】
まず、飯を炊く場合を説明する。
【００５３】
飯を炊く場合は、図２に示すように、内釜３内に研いだ米及び水を入れて、蓋体１０を閉塞した状態で炊く。表示部４２ａの表示を確認して操作部４２ｂの操作をする。米の種類、好みの炊きわけ、また、炊きあがりまでの時間などを設定して炊飯再加熱キー４２ｃを操作する。炊飯中はあと何分で炊きあがるかを数字表示部Ｅ１に時間で表示する。内釜３内で発生した蒸気は、図５に示すように、蒸気流通穴７１ｄ及び結露回収孔７１ｅから結露受皿７と内蓋５との間の蒸気流路５６内に入り込む。
【００５４】
蒸気流路５６内の内圧が所定圧力以上に上昇すると、蒸気圧で調圧弁６３を開弁させる。すると、蒸気流路５６内の蒸気は、調圧弁６３を通って調圧弁配置空間６２ｇ内の天井面６２ｅに向けて流れ込む。調圧弁配置空間６２ｇ内が蒸気で充満すると、仕切６２ｎを越えて蒸気貯留空間６２ｈ内の天井面６２ｅに向けて入り込む。蒸気貯留空間６２ｈ内が蒸気で充満すると、蒸気は、仕切６２ｏを越えて排出口配置空間６２ｉ内の天井面６２ｅに向けて入り込んで、排出口６２ｄから外部に排出される。
【００５５】
このように、蒸気は、蒸気流路５６，６４を左右、上下方向に蛇行するように流れると共に、調圧弁配置空間６２ｇ、蒸気貯留空間６２ｈ、及び排出口配置空間６２ｉ内に一時的に籠って貯留されるので、外部に排出され難い。
【００５６】
また、蓋体１０を開放した際には、蓋体１０は開いて後ろ下がりに傾くので結露受皿７の下面に付着した結露が下降して結露回収孔７１ｅから前記蒸気流路５６内に入り込む。図５に示すように、蒸気流路５６内に入り込んだ結露は、結露受皿７の皿部７１ａ上に貯留する。また、蒸気流路６４内の結露は、下ケース６１内に一時的に貯留されてから結露排出口６１ｇから内蓋５上に流れ出る。
【００５７】
そして、蒸気流路５６内及び内蓋５上の結露は、蓋ヒータ４８によって加熱されて蒸気となり、その蒸気で蒸気流路５６内を逆流して内釜３内に戻って飯を蒸らすことができる。
【００５８】
本実施例では、外蓋４の上面に設けた外郭となる外面カバー４２に長方形の表示器を長手方向が前後方向となるように縦方向に配置した内容で説明した。同様の効果は、本体側に外面カバー４２を設けた場合、表示器の長手方向を上下もしくは前後方向に配置しても得られる。
【００５９】
これは、表示部を見る時、使用者は炊飯器の前に立って操作するため、使用者には、表示器の左右端部より表示器の上下端部が視野に入り目立つため、目立つ箇所の奥行をなくすることで、表示器に表示される内容が見え易くなるためである。
【００６０】
以上本実施例によれば、本体と、該本体の上方に開閉可能に配置された外蓋と、前記本体もしくは前記外蓋に設けられた凸曲面の外面カバーと、該外面カバーは、操作部と、該操作部の設定内容を表示する表示部と、を備え、前記表示部の後方に長方形の表示器を収容する凹形状の設置部を備え、前記設置部に前記表示器の長辺が上下もしくは前後方向に配置されており、前記表示器の中央寄りから短辺寄りに向けて前記外面カバーが近づくように配置されており、前記表示器が前記設置部に配置された状態で、前記表示器の上下に位置する前記外面カバーと前記本体もしくは前記外蓋の外面が一致するように構成されている。
【００６１】
これにより、外蓋４は左右方向と前後方向に曲面に形成して設け、外蓋４の前後方向に前後に長い縦長形状の液晶Ｅを備えて本体２の前側から見る表示部４２ａを備えるので、見やすい表示部の炊飯器を提供することができる。
【００６２】
外蓋４の表面は前後方向に円弧Ｒ１で形成し左右方向には円弧Ｒ２で形成している。外蓋４の前後方向に前後に長い縦長形状の液晶Ｅを備えることによって、縦長形状の液晶Ｅの手前側と奥側に液晶の上側の壁を低くできる。そのため、本体２の手前側から見る表示部４２ａが見やすい。それは、前記の奥側の壁が大きく目立って見えることはなく前記の奥側の壁に液晶の表示が映ったりして見にくいことがない。また、手前側は、手前側の壁が低いので、液晶Ｅの手前端に表示される内容が前記の手前の壁に隠れて見にくいことがない。
【符号の説明】
【００６３】
１        炊飯器
２        本体
４        外蓋
４１ａ    パネル設置凹部（設置部）
４２      外面カバー
４２ａ    表示部
４２ｂ    操作部
Ｅ        液晶（表示器）
【図１】
2017042372.tif 000003
【図２】
2017042372.tif 000004
【図３】
2017042372.tif 000005
【図４】
2017042372.tif 000006
【図５】
2017042372.tif 000007
【図６】
2017042372.tif 000008
【図７】
2017042372.tif 000009
【図８】
2017042372.tif 000010
【図９】
2017042372.tif 000011
【図１０】
2017042372.tif 000012